(57)【要約】  調整情報（ＴＵＩ）の生成に際して、生成部（１３３Ａ）は、ヨーロッパの楽曲のオクターブバンド情報（ＯＣＢE,k＃ｒ）（ｒ＝１，…）を平均して、参照オクターブバンド情報（ＲＯＣＢE,k）を生成する。また、生成部（１３３Ａ）は、地域（ＡＲj）において作製された複数の楽曲のオクターブバンド情報（ＯＣＢj,k＃ｑ）（ｑ＝１，…）をクラスタ分析して、グループオクターブバンド情報（ＧＯＣＢj,k＃ｃｌ）（ｃｌ＝１，…，ＣＬ）を生成する。次いで、選択部（１３４Ａ）が、参照オクターブバンド情報（ＲＯＣＢE,k）と、グループオクターブバンド情報（ＧＯＣＢj,k＃ｃｌ）のそれぞれとの類似度を算出し、参照オクターブバンド情報（ＲＯＣＢE,k）との類似度が最も小さいグループオクターブバンド情報を選択する。そして、選択部（１３４Ａ）は、選択されたグループオクターブバンド情報に基づいて、オクターブバンド情報（ＯＣＢj,k）を生成する。
2017130350.tif 000002
【特許請求の範囲】
【請求項１】
楽曲の特性を示す楽曲特性情報と、前記楽曲に対応付けられた地域情報とを含む複数の楽曲情報を取得する第１取得部と；
第１の地域を示す地域情報を有する複数の楽曲情報を、前記楽曲特性情報に基づいて複数のグループに分類し、前記グループ毎の特性を示すグループ特性情報を生成する生成部と；
前記第１の地域とは異なる第２の地域における楽曲の特性を示す参照情報と、前記グループ特性情報のそれぞれとを比較し、少なくとも１つのグループ特性情報を選択する選択部と；
を備えることを特徴とする情報処理装置。
【請求項２】
前記少なくとも１つのグループ特性情報は、前記第１の地域に特有のグループ特性情報である、ことを特徴とする請求項１に記載の情報処理装置。
【請求項３】
前記選択部は、前記参照情報と前記グループ特性情報のそれぞれとの類似度を算出し、前記類似度に基づいて前記参照情報に類似すると評価されたグループ特性情報を除外することにより、前記複数のグループのグループ特性情報のうちから、前記少なくとも１つのグループ特性情報を選択する、ことを特徴とする請求項２に記載の情報処理装置。
【請求項４】
前記生成部は、前記第２の地域における複数の楽曲のそれぞれの楽曲特性情報に基づいて、前記第２の地域における複数の楽曲を、複数のグループに分類してグループ毎の特性を示す参照用グループ特性情報を生成し、
前記選択部は、前記参照用グループ特性情報のそれぞれと、前記グループ特性情報のそれぞれとを比較し、前記参照用グループ特性情報のいずれとも類似していないと評価されたグループ特性情報を、前記少なくとも１つのグループ特性情報に選択する、
ことを特徴とする請求項２に記載の情報処理装置。
【請求項５】
前記生成部は、前記楽曲特性情報に基づいて、前記楽曲情報をクラスタ分析し、前記第１の地域を示す地域情報を有する複数の楽曲情報を前記複数のグループに分類する、ことを特徴とする請求項２に記載の情報処理装置。
【請求項６】
前記楽曲情報には、前記楽曲に対応付けられた作製年情報及びジャンル情報の少なくとも１つが更に含まれ、
前記生成部は、前記第１の地域を示す地域情報を有し、かつ、前記作製年情報及び前記ジャンル情報の少なくとも１つが共通する楽曲情報に基づいて、前記複数のグループに分類する、
ことを特徴とする請求項２に記載の情報処理装置。
【請求項７】
音響装置から、指定された地域を示す指定地域情報を取得する第２取得部を更に備え、
前記指定された地域には、前記第１の地域が含まれる、
ことを特徴とする請求項２に記載の情報処理装置。
【請求項８】
前記第１の地域に特有のグループ特性情報及び前記指定地域情報に基づいて、前記音響装置に設定される設定更新情報を導出する導出部を更に備える、ことを特徴とする請求項７に記載の情報処理装置。
【請求項９】
前記楽曲特性情報は、周波数特性に関する情報であり、
前記導出部は、前記指定地域情報に対応する前記周波数特性を反映した音質調整情報を、前記設定更新情報として導出する、
ことを特徴とする請求項８に記載の情報処理装置。
【請求項１０】
前記楽曲特性情報は、左音声信号と右音声信号との位相差であり、
前記導出部は、前記指定地域情報に対応する前記位相差を反映した拡がり感付加処理の調整情報を、前記設定更新情報として導出する、
ことを特徴とする請求項８に記載の情報処理装置。
【請求項１１】
取得部と；生成部と；選択部とを備える情報処理装置において使用される情報処理方法であって、
前記取得部が、楽曲の特性を示す楽曲特性情報と、前記楽曲に対応付けられた地域情報とを含む複数の楽曲情報を取得する取得工程と；
第１の地域を示す地域情報を有する複数の楽曲情報を、前記楽曲特性情報に基づいて複数のグループに分類し、前記グループ毎の特性を示すグループ特性情報を生成する生成工程と；
前記第１の地域とは異なる第２の地域における楽曲の特性を示す参照情報と、前記グループ特性情報のそれぞれとを比較し、少なくとも１つのグループ特性情報を選択する選択工程と；
を備えることを特徴とする情報処理方法。
【請求項１２】
情報処理装置が有するコンピュータに、請求項１１に記載の情報処理方法を実行させる、ことを特徴とする情報処理プログラム。
【請求項１３】
情報処理装置が有するコンピュータにより読み取り可能に、請求項１２に記載の情報処理プログラムが記録されている、ことを特徴とする記録媒体。
【発明の詳細な説明】
【技術分野】
【０００１】
本発明は、情報処理装置、情報処理方法、情報処理プログラム、及び、当該情報処理プログラムが記録された記録媒体に関する。
【背景技術】
【０００２】
従来から、楽曲コンテンツを再生する音響装置が広く普及している。そして、音響装置の普及により、多様な国や地域のユーザが、音響装置を操作して様々な国や地域の楽曲を聴取するようになっている。こうした楽曲聴取の国際化の動向により、楽曲を再生出力するに際して、適切な音声調整が不可欠となる。【０００３】
かかる楽曲聴取の国際化の動向に対応した音声調整技術として、近年では、ユーザの国籍等を考慮し、ユーザの嗜好に合った楽曲を再生出力する技術が提案されている（特許文献１参照：以下、「従来例」と呼ぶ）。この従来例の技術では、サウンド技術者が、様々な環境あるいはユーザの好みに応じた音声処理パラメータを予め複数生成しておく。こうした複数の音声処理パラメータを生成した状態で、サーバ装置が、端末装置から送られたユーザの国籍、人種、年齢、種別などによって示されるユーザプロファイル等を受信すると、ユーザプロファイル等をもとにユーザの好みを分析し、分析結果に基づいて音声処理パラメータを選択する。引き続き、サーバ装置が、当該音声処理パラメータの使用を端末装置に推奨する。そして、端末装置が推奨された音声処理パラメータを使用して音声処理を実行し、再生装置が音声処理結果を再生するようになっている。
【先行技術文献】
【特許文献】
【０００４】
【特許文献１】特開２０１４−９３５７７号公報
【発明の概要】
【発明が解決しようとする課題】
【０００５】
一方で、本発明の発明者の研究によって、楽曲が作製された国や地域によって、楽曲の特徴の傾向が異なることが判明した。具体的な例を図１（Ａ），（Ｂ）を参照して説明する。図１（Ａ），（Ｂ）は、それぞれ異なる国において作製された複数の楽曲を本発明者が独自に解析し、その結果をオクターブバンド情報として示したものである。なお、このオクターブバンド情報は、複数の楽曲を１／３オクターブバンド解析した結果の平均的な値を示しており、１０００［Ｈｚ］におけるレベルを基準とする９個の周波数帯での相対レベル［ｄＢ］で表現される情報となっている。【０００６】
図１（Ａ）と図１（Ｂ）とを比較すると、図１（Ａ）に対応する国で作製された楽曲は、図１（Ｂ）に対応する国で作製された楽曲に比べ、低域（１００Ｈｚ以下の帯域）が強い傾向があることが分かる。また、図１（Ｂ）に対応する国で作製された楽曲は、図１（Ａ）に対応する国で作製された楽曲に比べ、中域（５００Ｈｚ〜１ｋＨz周辺）が強い傾向があることが分かる。このように、本発明者の研究から、楽曲が作製された国や地域によって、楽曲の特徴の傾向が異なることが判明し、楽曲を再生する際にも、楽曲が作製された国や地域に応じた音声調整が必要と考えられる。【０００７】
さらに、本発明者の研究によって、ある国で作製された楽曲であっても、すべての楽曲がその国に特有の楽曲特徴を有している訳ではなく、他の国や地域（例えば、ヨーロッパ）の楽曲の影響を受けて、当該他の国や地域の楽曲の特徴傾向を有しているものも含まれていることが判明した。このため、単に、同一の国で作製された複数の楽曲の楽曲特徴を平均したのでは、その国に特有の楽曲特徴の要素が失われる可能性がある。したがって、楽曲を再生する際に、当該楽曲が作製された国に応じた音声調整を行うには、その国で作製された複数の楽曲のうちから、他の国や地域の影響を受けていると考えられる楽曲を取り除き、当該楽曲が作製された国に特有の楽曲特徴を求める必要があると考えられる。【０００８】
しかしながら、従来例の技術では、再生する楽曲が作製された国や地域という当該再生する楽曲に対応する地域属性については考慮していない。この結果、楽曲を再生出力するに際し、当該楽曲の地域属性に伴う特有の楽曲特徴に対応して音声調整を行うことはできない。【０００９】
このため、様々な国や地域に特有の楽曲の特徴に合った音声調整処理を行うことができる技術が望まれている。かかる要請に応えることが、本発明が解決すべき課題の一つとして挙げられる。
【課題を解決するための手段】
【００１０】
請求項１に記載の発明は、楽曲の特性を示す楽曲特性情報と、前記楽曲に対応付けられた地域情報とを含む複数の楽曲情報を取得する第１取得部と；第１の地域を示す地域情報を有する複数の楽曲情報を、前記楽曲特性情報に基づいて複数のグループに分類し、前記グループ毎の特性を示すグループ特性情報を生成する生成部と；前記第１の地域とは異なる第２の地域における楽曲の特性を示す参照情報と、前記グループ特性情報のそれぞれとを比較し、少なくとも１つのグループ特性情報を選択する選択部と；を備えることを特徴とする情報処理装置である。【００１１】
請求項１１に記載の発明は、取得部と；生成部と；選択部とを備える情報処理装置において使用される情報処理方法であって、前記取得部が、楽曲の特性を示す楽曲特性情報と、前記楽曲に対応付けられた地域情報とを含む複数の楽曲情報を取得する取得工程と；第１の地域を示す地域情報を有する複数の楽曲情報を、前記楽曲特性情報に基づいて複数のグループに分類し、前記グループ毎の特性を示すグループ特性情報を生成する生成工程と；前記第１の地域とは異なる第２の地域における楽曲の特性を示す参照情報と、前記グループ特性情報のそれぞれとを比較し、少なくとも１つのグループ特性情報を選択する選択工程と；を備えることを特徴とする情報処理方法である。【００１２】
請求項１２に記載の発明は、情報処理装置が有するコンピュータに、請求項１１に記載の情報処理方法を実行させる、ことを特徴とする情報処理プログラムである。【００１３】
請求項１３に記載の発明は、情報処理装置が有するコンピュータにより読み取り可能に、請求項１２に記載の情報処理プログラムが記録されている、ことを特徴とする記録媒体である。
【図面の簡単な説明】
【００１４】
【図１】それぞれ異なる国で作製された楽曲を解析して得られたオクターブバンド情報の例を示す図である。
【図２】本発明の第１実施形態に係る情報処理装置、及び、音響装置の構成を概略的に示すブロック図である。
【図３】図２の情報処理装置の記憶部に記憶される解析情報の内容を説明するための図である。
【図４】図２の情報処理装置の記憶部に記憶される調整情報の内容を説明するための図である。
【図５】図２の情報処理装置の処理制御部の構成を説明するための図である。
【図６】図２の音響装置の調整設定部の構成を説明するための図である。
【図７】図２の処理制御部による調整情報の生成処理を説明するためのフローチャートである。
【図８】参照オクターブバンド情報の例を示した図である。
【図９】クラスタ分析したグループオクターブバンド情報の例を示した図である。
【図１０】図２の音響装置による楽曲再生処理を説明するためのフローチャートである。
【図１１】図２の情報処理装置による設定更新情報の導出処理を説明するためのフローチャートである。
【図１２】本発明の第２実施形態に係る情報処理装置における処理制御部の構成を説明するための図である。
【図１３】図１２の処理制御部による調整情報の生成処理を説明するためのフローチャートである。
【図１４】図１３のオクターブバンド情報の生成処理を説明するためのフローチャートである。
【図１５】図１３のＬ／Ｒ位相差情報の生成処理を説明するためのフローチャートである。
【図１６】クラスタ分析した参照用グループオクターブバンド情報の例を示した図である。
【図１７】クラスタ分析したグループオクターブバンド情報の例を示した図である。
【符号の説明】
【００１５】
１００Ａ，１００Ｂ  …  情報処理装置
１１０              …  送受信部（第２取得部）
１３２              …  楽曲情報取得部（第１取得部）
１３３Ａ，１３３Ｂ  …  生成部
１３４Ａ，１３４Ｂ  …  選択部
１３５              …  導出部
【発明を実施するための形態】
【００１６】
以下、本発明の実施形態を、添付図面を参照して説明する。なお、以下の説明及び図面においては、同一又は同等の要素には同一の符号を付し、重複する説明を省略する。
【００１７】
［第１実施形態］
まず、本発明の第１実施形態を、図２〜図１１を参照して説明する。
【００１８】
＜構成＞
図２には、一実施形態に係る情報処理装置１００Ａの概略的な構成がブロック図にて示されている。また、図２には、音響装置２００の概略的な構成がブロック図にて示されている。第１実施形態では、情報処理装置１００Ａは、例えば、建屋内の固定的な位置に配置されている。また、音響装置２００は、例えば、車両内に配置されている。そして、情報処理装置１００Ａと音響装置２００とは、ネットワークを介して、通信可能となっている。また、情報処理装置１００Ａと楽曲コンテンツサーバ３００とは、ネットワークを介して、通信可能となっている。
【００１９】
なお、情報処理装置１００Ａは、音響装置２００と同様に構成された他の音響装置とも通信可能となっているが、図２においては、音響装置２００のみが代表的に示されている。
【００２０】
《情報処理装置１００Ａの構成》
上記の情報処理装置１００Ａの構成について、説明する。
【００２１】
情報処理装置１００Ａは、図２に示されるように、送受信部１１０と、記憶部１２０とを備えている。また、情報処理装置１００Ａは、処理制御部１３０Ａを備えている。
【００２２】
上記の送受信部１１０は、ネットワークを介して、楽曲コンテンツサーバ３００から解析用の楽曲コンテンツＭＵＩ＃ｐ（ｐ＝１，…）、及び、当該楽曲コンテンツＭＵＩ＃ｐに対応付けられた楽曲属性情報ＰＰＭ＃ｐを定期的に受信する。そして、送受信部１１０は、当該楽曲コンテンツＭＵＩ＃ｐ及び楽曲属性情報ＰＰＭ＃ｐを、処理制御部１３０Ａへ送る。第１実施形態では、「楽曲属性情報ＰＰＭ＃ｐ」には、楽曲コンテンツＭＵＩ＃ｐに対応する地域に関する情報、及び、楽曲コンテンツＭＵＩ＃ｐの作製年情報が含まれている。
【００２３】
また、送受信部１１０は、音響装置２００から、ネットワークを介して、指定属性情報ＰＰＤを受信する。そして、送受信部１１０は、当該指定属性情報ＰＰＤを処理制御部１３０Ａへ送る。第１実施形態では、「指定属性情報ＰＰＤ」には、音響装置２００において再生される楽曲に対応する地域（指定地域）に関する情報（指定地域情報）、及び、当該楽曲の作製年情報が含まれている。
【００２４】
また、送受信部１１０は、処理制御部１３０Ａから送られた設定更新情報ＳＥＩを受ける。そして、送受信部１１０は、当該設定更新情報ＳＥＩを、ネットワークを介して、音響装置２００へ送信する。すなわち、送受信部１１０は、第２取得部の機能を果たすようになっている。
【００２５】
上記の記憶部１２０は、ハードディスク装置等の不揮発性の記憶装置を備えて構成されている。記憶部１２０には、情報処理装置１００Ａで利用される様々な情報データが記憶されている。こうした情報データには、解析情報ＡＮＩ及び調整情報ＴＵＩが含まれている。この記憶部１２０には、処理制御部１３０Ａがアクセス可能となっている。
【００２６】
解析情報ＡＮＩには、図３に示されるように、楽曲コンテンツＭＵＩ＃ｐに対応する楽曲の解析結果である楽曲解析情報（楽曲情報）ＭＡＩ＃ｐ（ｐ＝１，…）が含まれている。当該楽曲解析情報ＭＡＩ＃ｐには、楽曲属性情報ＰＰＭ＃ｐとともに、オクターブバンド情報ＯＣＢ＃ｐ及びＬ／Ｒ位相差情報ＰＨＤ＃ｐが含まれている。ここで、オクターブバンド情報ＯＣＢ＃ｐ及びＬ／Ｒ位相差情報ＰＨＤ＃ｐは、楽曲特性情報に対応している。この解析情報ＡＮＩは、処理制御部１３０Ａが生成し、記憶部１２０内に格納する。
【００２７】
ここで、オクターブバンド情報ＯＣＢ＃ｐは、楽曲コンテンツＭＵＩ＃ｐに対応する楽曲について１／３オクターブバンド解析を行った結果であり、周波数特性に関する情報となっている。第１実施形態では、オクターブバンド情報ＯＣＢ＃ｐは、図１（Ａ），（Ｂ）に示したオクターブバンド情報と同様に、１０００［Ｈｚ］におけるレベルを基準とする９個の周波数帯での相対レベル［ｄＢ］で表現される情報となっている。
【００２８】
また、Ｌ／Ｒ位相差情報ＰＨＤ＃ｐは、楽曲コンテンツＭＵＩ＃ｐに対応する楽曲について、左音声信号及び右音声信号の位相差解析を行った結果であり、左音声信号と右音声信号との位相差に関する情報になっている。第１実施形態では、Ｌ／Ｒ位相差情報ＰＨＤ＃ｐは、９個の周波数帯ごとに解析した左音声信号と右音声信号との位相差となっている。
【００２９】
調整情報ＴＵＩには、図４に示されるように、地域ＡＲj（ｊ＝１，…）と当該地域ＡＲjに対応付けられた楽曲の作製年ＹＲk（ｋ＝１，…）との組み合せのオクターブバンド情報ＯＣＢj,k及びＬ／Ｒ位相差情報ＰＨＤj,kが含まれている。この調整情報ＴＵＩは、処理制御部１３０Ａが生成し、記憶部１２０内に格納する。
【００３０】
（処理制御部１３０Ａの構成）
図２に戻り、上記の処理制御部１３０Ａは、様々な処理を行うとともに、情報処理装置１００Ａの全体の動作を制御する。処理制御部１３０Ａの構成について、説明する。
【００３１】
処理制御部１３０Ａは、図５に示されるように、解析部１３１と、楽曲情報取得部１３２を備えている。また、処理制御部１３０Ａは、生成部１３３Ａと、選択部１３４Ａと、導出部１３５とを備えている。
【００３２】
上記の解析部１３１は、送受信部１１０から送られた楽曲コンテンツＭＵＩ＃ｐ（ｐ＝１，…）及び楽曲属性情報ＰＰＭ＃ｐを定期的に受ける。当該楽曲コンテンツＭＵＩ＃ｐ及び楽曲属性情報ＰＰＭ＃ｐを受けると、解析部１３１は、楽曲コンテンツＭＵＩ＃ｐに対応する楽曲の解析処理を行い、上述したオクターブバンド情報ＯＣＢ＃ｐ及びＬ／Ｒ位相差情報ＰＨＤ＃ｐを生成する。そして、解析部１３１は、当該生成されたオクターブバンド情報ＯＣＢ＃ｐ及びＬ／Ｒ位相差情報ＰＨＤ＃ｐを、楽曲属性情報ＰＰＭ＃ｐとともに、楽曲解析情報ＭＡＩ＃ｐとして、記憶部１２０内の解析情報ＡＮＩの記憶領域に格納する。こうして楽曲解析情報ＭＡＩ＃ｐを解析情報ＡＮＩの記憶領域に格納すると、解析部１３１は、格納報告を楽曲情報取得部１３２へ送る。
【００３３】
上記の楽曲情報取得部１３２は、定期的に解析部１３１から送られた格納報告を受けると、記憶部１２０の解析情報ＡＮＩにアクセスして、楽曲解析情報ＭＡＩ＃ｐのオクターブバンド情報ＯＣＢ＃ｐ及び楽曲属性情報ＰＰＭ＃ｐを読み取る。引き続き、楽曲情報取得部１３２は、オクターブバンド情報ＯＣＢ＃ｐ（ｐ＝１，…）の中から、地域ＡＲj（ｊ＝１，…）において作製年ＹＲk（ｋ＝１，…）に作製された複数の楽曲のオクターブバンド情報ＯＣＢj,k＃ｑ（ｑ＝１，…）を抽出する。こうして抽出された複数の楽曲のオクターブバンド情報ＯＣＢj,k＃ｑは、生成部１３３Ａへ送られる。なお、第１実施形態では、オクターブバンド情報ＯＣＢj,k＃ｑ（ｑ＝１，…）には、ヨーロッパにおいて作製された楽曲のオクターブバンド情報は、含まれていないものとする。
【００３４】
また、楽曲情報取得部１３２は、オクターブバンド情報ＯＣＢ＃ｐ（ｐ＝１，…）の中から、地域ＡＲE（ヨーロッパ：第２の地域）において作製年ＹＲk（ｋ＝１，…）に作製された複数の楽曲のオクターブバンド情報ＯＣＢE,k＃ｒ（ｒ＝１，…）を抽出する。そして、楽曲情報取得部１３２は、地域ＡＲE（ヨーロッパ）で作製された複数の楽曲のオクターブバンド情報ＯＣＢE,k＃ｒを、生成部１３３Ａへ送る。
【００３５】
また、楽曲情報取得部１３２は、解析情報ＡＮＩから、楽曲解析情報ＭＡＩ＃ｐのＬ／Ｒ位相差情報ＰＨＤ＃ｐを読み取る。そして、楽曲情報取得部１３２は、Ｌ／Ｒ位相差情報ＰＨＤ＃ｐ（ｐ＝１，…）の中から、地域ＡＲj（ｊ＝１，…）において作製年ＹＲk（ｋ＝１，…）に作製された複数の楽曲のＬ／Ｒ位相差情報ＰＨＤj,k＃ｑ（ｑ＝１，…）を抽出する。こうして抽出された複数の楽曲のＬ／Ｒ位相差情報ＰＨＤj,k＃ｑは、生成部１３３Ａへ送られる。なお、第１実施形態では、Ｌ／Ｒ位相差情報ＰＨＤj,k＃ｑ（ｑ＝１，…）には、ヨーロッパにおいて作製された楽曲のＬ／Ｒ位相差情報は、含まれていないものとする。
【００３６】
また、楽曲情報取得部１３２は、Ｌ／Ｒ位相差情報ＰＨＤ＃ｐ（ｐ＝１，…）の中から、地域ＡＲE（ヨーロッパ）において作製年ＹＲk（ｋ＝１，…）に作製された複数の楽曲のＬ／Ｒ位相差情報ＰＨＤE,k＃ｒ（ｒ＝１，…）を抽出する。そして、楽曲情報取得部１３２は、地域ＡＲE（ヨーロッパ）で作製された複数の楽曲のＬ／Ｒ位相差情報ＰＨＤE,k＃ｒを、生成部１３３Ａへ送る。すなわち、楽曲情報取得部１３２は、第１取得部の機能を果たすようになっている。
【００３７】
上記の生成部１３３Ａは、楽曲情報取得部１３２から送られた複数の楽曲のオクターブバンド情報ＯＣＢj,k＃ｑ（ｑ＝１，…）を受ける。そして、生成部１３３Ａは、オクターブバンド情報ＯＣＢj,k＃ｑ（ｑ＝１，…）をクラスタ分析して、オクターブバンド情報ＯＣＢj,k＃ｑを複数のグループに分類し、グループごとのグループオクターブバンド情報（グループ特性情報）ＧＯＣＢj,k＃ｃｌ（ｃｌ＝１，…，ＣＬ）（ＣＬ：クラスタ数）を生成する。こうして生成されたグループオクターブバンド情報ＧＯＣＢj,k＃ｃｌは、選択部１３４Ａへ送られる。
【００３８】
第１実施形態では、生成部１３３Ａは、非階層型クラスタリングのアルゴリズムの一つであるｋ−平均法を用いて、クラスタ分析を行うようになっている。そして、オクターブバンド情報ＯＣＢj,k＃ｑ（ｑ＝１，…）をクラスタ分析するに際して、生成部１３３Ａは、オクターブバンド情報における９個の周波数帯ごとの相対レベルをパラメータに採用している。
【００３９】
また、生成部１３３Ａは、楽曲情報取得部１３２から送られた地域ＡＲEで作製された複数の楽曲のオクターブバンド情報ＯＣＢE,k＃ｒ（ｒ＝１，…）を受ける。そして、生成部１３３Ａは、当該オクターブバンド情報ＯＣＢE,k＃ｒを平均して、参照オクターブバンド情報ＲＯＣＢE,k（参照情報）を生成する。こうして生成された参照オクターブバンド情報ＲＯＣＢE,kは、選択部１３４Ａへ送られる。
【００４０】
また、生成部１３３Ａは、楽曲情報取得部１３２から送られた複数の楽曲のＬ／Ｒ位相差情報ＰＨＤj,k＃ｑ（ｑ＝１，…）を受ける。そして、生成部１３３Ａは、Ｌ／Ｒ位相差情報ＰＨＤj,k＃ｑ（ｑ＝１，…）をクラスタ分析して、Ｌ／Ｒ位相差情報ＰＨＤj,k＃ｑを複数のグループに分類し、グループごとのグループＬ／Ｒ位相差情報（グループ特性情報）ＧＰＨＤj,k＃ｃｌ（ｃｌ＝１，…，ＣＬ）（ＣＬ：クラスタ数）を生成する。こうして生成されたグループＬ／Ｒ位相差情報ＧＰＨＤj,k＃ｃｌは、選択部１３４Ａへ送られる。
【００４１】
第１実施形態では、生成部１３３Ａは、ｋ−平均法を用いてＬ／Ｒ位相差情報ＰＨＤj,k＃ｑ（ｑ＝１，…）をクラスタ分析するようになっている。そして、クラスタ分析を行うに際して、生成部１３３Ａは、９個の周波数帯ごとのＬ／Ｒ位相差情報をパラメータに採用している。
【００４２】
また、生成部１３３Ａは、楽曲情報取得部１３２から送られた地域ＡＲEで作製された複数の楽曲のＬ／Ｒ位相差情報ＰＨＤE,k＃ｒ（ｒ＝１，…）を受ける。そして、生成部１３３Ａは、当該Ｌ／Ｒ位相差情報ＰＨＤE,k＃ｒを平均して、参照Ｌ／Ｒ位相差情報ＲＰＨＤE,k（参照情報）を生成する。こうして生成された参照Ｌ／Ｒ位相差情報ＲＰＨＤE,kは、選択部１３４Ａへ送られる。
【００４３】
上記の選択部１３４Ａは、生成部１３３Ａから送られた参照オクターブバンド情報ＲＯＣＢE,kを受ける。また、選択部１３４Ａは、生成部１３３Ａから送られた複数のグループオクターブバンド情報ＧＯＣＢj,k＃ｃｌ（ｃｌ＝１，…，ＣＬ）を受ける。そして、選択部１３４Ａは、参照オクターブバンド情報ＲＯＣＢE,kと、複数のグループオクターブバンド情報ＧＯＣＢj,k＃ｃｌのそれぞれとの類似度を算出する。
【００４４】
かかる類似度を算出するに際して、選択部１３４Ａは、９個の周波数帯ごとに、参照オクターブバンド情報ＲＯＣＢE,kにおけるレベルと、グループオクターブバンド情報ＧＯＣＢj,k＃ｃｌ（ｃｌ＝１，…）におけるレベルとの差の絶対値を算出する。次いで、選択部１３４Ａは、９個の絶対値の総和を算出する。そして、選択部１３４Ａは、当該算出された絶対値の和が小さいほど、参照オクターブバンド情報ＲＯＣＢE,kとグループオクターブバンド情報との類似度が高いと評価し、当該算出された絶対値の和が大きいほど、参照オクターブバンド情報とグループオクターブバンド情報との類似度が低いと評価する。
【００４５】
次いで、選択部１３４Ａは、参照オクターブバンド情報ＲＯＣＢE,kとの類似度が最も小さい（算出された絶対値の和が最大となる）グループオクターブバンド情報を選択する。そして、選択部１３４Ａは、選択されたグループオクターブバンド情報に含まれるオクターブバンド情報を平均して、オクターブバンド情報ＯＣＢj,kを生成する。
【００４６】
また、選択部１３４Ａは、生成部１３３Ａから送られた参照Ｌ／Ｒ位相差情報ＲＰＨＤE,kを受ける。また、選択部１３４Ａは、生成部１３３Ａから送られた複数のグループＬ／Ｒ位相差情報ＧＰＨＤj,k＃ｃｌ（ｃｌ＝１，…，ＣＬ）を受ける。そして、選択部１３４Ａは、参照Ｌ／Ｒ位相差情報ＲＰＨＤE,kと、複数のグループＬ／Ｒ位相差情報ＧＰＨＤj,k＃ｃｌのそれぞれとの類似度を算出する。
【００４７】
かかる類似度を算出するに際して、選択部１３４Ａは、９個の周波数帯ごとに、参照Ｌ／Ｒ位相差情報ＲＰＨＤE,kにおける位相差と、グループＬ／Ｒ位相差情報ＧＰＨＤj,k＃ｃｌ（ｃｌ＝１，…）における位相差との差の絶対値を算出する。次いで、選択部１３４Ａは、９個の絶対値についての総和を算出する。そして、選択部１３４Ａは、当該算出された絶対値の和が小さいほど、参照Ｌ／Ｒ位相差情報ＲＰＨＤE,kとグループＬ／Ｒ位相差情報との類似度が高いと評価し、当該算出された絶対値の和が大きいほど、参照Ｌ／Ｒ位相差情報ＲＰＨＤE,kとグループＬ／Ｒ位相差情報との類似度が低いと評価する。
【００４８】
次いで、選択部１３４Ａは、参照Ｌ／Ｒ位相差情報ＲＰＨＤE,kとの類似度が最も小さい（算出された絶対値の和が最大となる）グループＬ／Ｒ位相差情報を選択する。そして、選択部１３４Ａは、選択されたグループＬ／Ｒ位相差情報に含まれるＬ／Ｒ位相差情報を平均して、Ｌ／Ｒ位相差情報ＰＨＤE,kを生成する。
【００４９】
引き続き、選択部１３４Ａは、当該生成されたオクターブバンド情報ＯＣＢj,k及びＬ／Ｒ位相差情報ＰＨＤj,kを含んだ調整情報ＴＵＩを生成する。そして、選択部１３４Ａは、調整情報ＴＵＩを記憶部１２０内に格納する。
【００５０】
上記の導出部１３５は、送受信部１１０から送られた指定属性情報ＰＰＤを受ける。当該指定属性情報ＰＰＤを受けると、導出部１３５は、記憶部１２０にアクセスして、調整情報ＴＵＩから、指定属性情報ＰＰＤに対応するオクターブバンド情報（以下、「設定用オクターブバンド情報ＯＣＢ」とも記す）及びＬ／Ｒ位相差情報（以下、「設定用Ｌ／Ｒ位相差情報ＰＨＤ」とも記す）を読み取る。
【００５１】
これらの情報を読み取ると、導出部１３５は、設定用オクターブバンド情報ＯＣＢにより示される周波数特性を音質調整設定値に特定する。
【００５２】
また、導出部１３５は、設定用オクターブバンド情報ＯＣＢにより示される周波数特性の所定低音域のレベルが所定レベル値以上のときには、サブウーハスピーカの使用を「ＯＮ」にするスピーカ設定を生成する。一方、導出部１３５は、当該所定低音域のレベルが所定レベル値より小さいときには、サブウーハスピーカの使用を「ＯＦＦ」にするスピーカ設定を生成する。ここで、所定低音域の範囲及び所定レベル値は、低音域の音を適切に楽しむとの観点から、実験、シミュレーション、経験等に基づいて、予め定められる。
【００５３】
また、導出部１３５は、設定用Ｌ／Ｒ位相差情報ＰＨＤから、左音声信号と右音声信号との位相差が所定位相差より小さいときには、リバーブ処理を行う旨の信号加工設定を生成する。一方、導出部１３５は、当該位相差が所定位相差以上のときには、リバーブ処理を行わない旨の信号加工設定を生成する。ここで、所定位相差は、そのままの左音声と右音声とではモノラル感が強いときには、拡がり感を与えるとの観点から、実験、シミュレーション、経験等に基づいて、予め定められる。
【００５４】
そして、導出部１３５は、音質調整設定値に関する音質調整設定更新情報、スピーカ設定に関するスピーカ設定更新情報、及び、信号加工設定に関する信号加工設定更新情報を、設定更新情報ＳＥＩとして送受信部１１０へ送る。
【００５５】
《音響装置２００の構成》
上記の音響装置２００の構成について、説明する。
【００５６】
音響装置２００は、図２に示されるように、楽曲情報供給部２２０と、調整設定部２３０と、音出力部２５０とを備えている。また、音響装置２００は、入力部２６０と、属性情報取得部２７０と、送受信部２８０とを備えている。
【００５７】
上記の楽曲情報供給部２２０は、再生用の楽曲コンテンツデータに基づいて、楽曲信号ＭＵＤを生成する。そして、楽曲情報供給部２２０は、生成された楽曲信号ＭＵＤを、調整設定部２３０へ送る。ここで、楽曲情報供給部２２０は、属性情報取得部２７０又は調整設定部２３０から送られた供給指示を受けたときに、楽曲信号ＭＵＤを調整設定部２３０へ送るようになっている。
【００５８】
また、楽曲情報供給部２２０は、楽曲コンテンツデータから、当該楽曲コンテンツデータの楽曲に対応する地域及び楽曲の作製年を読み取る。こうして読み取られた楽曲に対応する地域に関する情報及び楽曲の作製年情報は、再生楽曲属性情報として属性情報取得部２７０へ送られる。
【００５９】
上記の調整設定部２３０は、情報処理装置１００Ａから送信された設定更新情報ＳＥＩを、送受信部２８０を介して受信し、当該設定更新情報ＳＥＩに基づいて音響処理に関する設定更新を行う。そして、調整設定部２３０は、楽曲情報供給部２２０から送られた楽曲信号ＭＵＤを受けると、楽曲信号ＭＵＤに対して音響処理を施して、音出力部２５０へ送る再生音声信号を生成する。調整設定部２３０の構成の詳細については、後述する。
【００６０】
上記の音出力部２５０は、第１実施形態では、高音用スピーカであるツイータスピーカＳＰTW、中音用スピーカであるミッドレンジスピーカＳＰMR、超低音用スピーカであるサブウーハスピーカＳＰSWを備えて構成されている。音出力部２５０は、調整設定部２３０から送られた再生音声信号を受ける。そして、音出力部２５０は、再生音声信号に従った楽曲音をスピーカＳＰTW，ＳＰMR，ＳＰSWから出力する。
【００６１】
上記の入力部２６０は、音響装置２００に設けられたキー部、及び／又はキー部を備えるリモート入力装置等により構成されている。この入力部２６０をユーザが操作することにより、音響装置２００の動作内容の設定や動作指令が行われる。例えば、楽曲コンテンツの再生指定等を、ユーザが入力部２６０を利用して行う。
【００６２】
上記の属性情報取得部２７０は、楽曲情報供給部２２０から送られた再生楽曲属性情報を受ける。属性情報取得部２７０は、保持用属性情報を内部に保持していないときには、取得した再生楽曲属性情報を保持用属性情報として保持する。そして、属性情報取得部２７０は、再生楽曲属性情報を指定属性情報ＰＰＤとして送受信部２８０へ送る。
【００６３】
また、属性情報取得部２７０は、保持用属性情報を内部に保持しているときには、再生楽曲属性情報を受けるごとに、保持用属性情報と今回取得した再生楽曲属性情報とが同一であるか否かの同一性判定を行う。当該同一性判定の結果が肯定的であった場合には、属性情報取得部２７０は、供給指示を楽曲情報供給部２２０へ送る。
【００６４】
一方、当該同一性判定の結果が否定的であった場合には、属性情報取得部２７０は、供給待機指示を楽曲情報供給部２２０へ送るとともに、再生楽曲属性情報を指定属性情報ＰＰＤとして送受信部２８０へ送る。そして、属性情報取得部２７０は、今回取得した再生楽曲属性情報を保持用属性情報として内部に保持する。
【００６５】
上記の送受信部２８０は、属性情報取得部２７０から送られた指定属性情報ＰＰＤを受ける。そして、送受信部２８０は、当該指定属性情報ＰＰＤを、ネットワークを介して、情報処理装置１００Ａへ送信する。
【００６６】
また、送受信部２８０は、情報処理装置１００Ａから、ネットワークを介して、設定更新情報ＳＥＩを受信する。そして、送受信部２８０は、当該設定更新情報ＳＥＩを調整設定部２３０へ送る。
【００６７】
（調整設定部２３０の構成）
調整設定部２３０の構成について、説明する。
【００６８】
調整設定部２３０は、図６に示されるように、音質調整部２３１と、残響音信号生成部２３２と、加算部２３３とを備えている。また、調整設定部２３０は、スピーカ設定部２３４と、制御部２３９とを備えている。
【００６９】
上記の音質調整部２３１は、制御部２３９から送られた音質調整設定更新情報を受ける。そして、音質調整部２３１は、当該音質調整設定更新情報により示される値を、音質調整設定値ＥＱに設定する。こうして音質調整設定値ＥＱが設定されると、音質調整部２３１は、楽曲情報供給部２２０から送られた楽曲信号ＭＵＤに音質調整処理を施して、音質調整信号ＡＦＤを生成する。こうして生成された音質調整信号ＡＦＤは、残響音信号生成部２３２及び加算部２３３へ送られる。
【００７０】
上記の残響音信号生成部２３２は、音質調整部２３１から送られた音質調整信号ＡＦＤを受ける。そして、残響音信号生成部２３２は、音質調整信号ＡＦＤに対して、例えば、コムフィルタ及びオールパスフィルタを使用した残響音信号の生成処理等の所定の処理を施して、残響音信号ＲＶＤを生成する。こうして生成された残響音信号ＲＶＤは、加算部２３３へ送られる。
【００７１】
上記の加算部２３３は、音質調整部２３１から送られた音質調整信号ＡＦＤを受けるとともに、残響音信号生成部２３２から送られた残響音信号ＲＶＤを受ける。また、加算部２３３は、制御部２３９から送られた信号加工設定更新情報を受ける。そして、加算部２３３は、信号加工設定更新情報の内容がリバーブ処理を行うものであるときには、音質調整信号ＡＦＤ及び残響音信号ＲＶＤを加算した加工信号ＰＲＤを生成して、スピーカ設定部２３４へ送る。一方、加算部２３３は、信号加工設定更新情報の内容がリバーブ処理を行わないものであるときには、音質調整信号ＡＦＤを加工信号ＰＲＤとして、スピーカ設定部２３４へ送る。
【００７２】
上記のスピーカ設定部２３４は、加算部２３３から送られた加工信号ＰＲＤを受ける。また、スピーカ設定部２３４は、制御部２３９から送られたスピーカ設定更新情報を受ける。そして、スピーカ設定部２３４は、スピーカ設定更新情報の内容がサブウーハスピーカの使用を「ＯＮ」にするものであるときには、すべてのスピーカから楽曲音を出力すべき再生音声信号を、音出力部２５０へ送る。一方、スピーカ設定部２３４は、スピーカ設定更新情報の内容がサブウーハスピーカの使用を「ＯＦＦ」にするものであるときには、サブウーハスピーカＳＰSW以外のスピーカから楽曲音を出力すべき再生音声信号を、音出力部２５０へ送る。
【００７３】
上記の制御部２３９は、楽曲コンテンツデータに基づく楽曲音の再生を制御する。この制御部２３９は、送受信部２８０から送られた設定更新情報ＳＥＩを受ける。そして、当該設定更新情報ＳＥＩを受けると、制御部２３９は、設定更新情報ＳＥＩに含まれる音質調整設定更新情報を音質調整部２３１へ送る。また、制御部２３９は、設定更新情報ＳＥＩに含まれる信号加工設定更新情報を加算部２３３へ送るとともに、設定更新情報ＳＥＩに含まれるスピーカ設定更新情報をスピーカ設定部２３４へ送る。
【００７４】
こうして情報処理装置１００Ａから送信された設定更新情報ＳＥＩの設定更新が完了すると、制御部２３９は、供給指示を楽曲情報供給部２２０へ送る。
【００７５】
＜動作＞
以上のようにして構成された情報処理装置１００Ａ及び音響装置２００が協働して実行する動作について、情報処理装置１００Ａによる調整情報ＴＵＩの生成処理、音響装置２００による楽曲再生処理及び情報処理装置１００Ａによる音響調整管理処理（設定更新情報の導出処理）に主に着目して説明する。
【００７６】
《情報処理装置１００Ａによる調整情報ＴＵＩの生成処理》
まず、情報処理装置１００Ａによる調整情報ＴＵＩの生成処理について、説明する。第１実施形態では、調整情報ＴＵＩの生成処理は、新たな楽曲解析情報ＭＡＩ＃ｐが記憶部１２０内の解析情報ＡＮＩの記憶領域に格納されたときに、定期的に行われるようになっている。
【００７７】
情報処理装置１００Ａによる調整情報ＴＵＩの生成処理については、図７に示されるように、まず、ステップＳ１１において、楽曲情報取得部１３２が、記憶部１２０の解析情報ＡＮＩにアクセスして、楽曲解析情報ＭＡＩ＃ｐに含まれる楽曲属性情報ＰＰＭ＃ｐ、オクターブバンド情報ＯＣＢ＃ｐ及びＬ／Ｒ位相差情報ＰＨＤ＃ｐを読み取る。こうして楽曲解析情報ＭＡＩ＃ｐを取得すると、楽曲情報取得部１３２は、楽曲解析情報ＭＡＩ＃ｐ（ｐ＝１，…）から、地域ＡＲj（ｊ＝１，…）において作製年ＹＲk（ｋ＝１，…）に作製された複数の楽曲のオクターブバンド情報ＯＣＢj,k＃ｑ（ｑ＝１，…）及びＬ／Ｒ位相差情報ＰＨＤj,k＃ｑ（ｑ＝１，…）を抽出して、生成部１３３Ａへ送る。また、楽曲情報取得部１３２は、楽曲解析情報ＭＡＩ＃ｐ（ｐ＝１，…）から、地域ＡＲEにおいて作製年ＹＲk（ｋ＝１，…）に作製された複数の楽曲のオクターブバンド情報ＯＣＢE,k＃ｒ（ｒ＝１，…）及びＬ／Ｒ位相差情報ＰＨＤE,k＃ｒ（ｒ＝１，…）を抽出して、生成部１３３Ａへ送る。この後、処理はステップＳ１２へ進む。
【００７８】
ステップＳ１２では、生成部１３３Ａが、オクターブバンド情報ＯＣＢE,k＃ｒを平均して、参照オクターブバンド情報ＲＯＣＢE,kを生成する。また、生成部１３３Ａは、Ｌ／Ｒ位相差情報ＰＨＤE,k＃ｒを平均して、参照Ｌ／Ｒ位相差情報ＲＰＨＤE,kを生成する。そして、生成部１３３Ａは、生成された参照オクターブバンド情報ＲＯＣＢE,k及び参照Ｌ／Ｒ位相差情報ＲＰＨＤE,kを、選択部１３４Ａへ送る。
【００７９】
引き続き、ステップＳ１３において、生成部１３３Ａが、オクターブバンド情報ＯＣＢj,k＃ｑ（ｑ＝１，…）をクラスタ分析して、グループオクターブバンド情報ＧＯＣＢj,k＃ｃｌ（ｃｌ＝１，…，ＣＬ）（ＣＬ：クラスタ数）を生成する。また、生成部１３３Ａは、Ｌ／Ｒ位相差情報ＰＨＤj,k＃ｑ（ｑ＝１，…）をクラスタ分析して、グループＬ／Ｒ位相差情報ＧＰＨＤj,k＃ｃｌ（ｃｌ＝１，…，ＣＬ）（ＣＬ：クラスタ数）を生成する。そして、生成部１３３Ａは、生成されたグループオクターブバンド情報ＧＯＣＢj,k＃ｃｌ及びグループＬ／Ｒ位相差情報ＧＰＨＤj,k＃ｃｌを、選択部１３４Ａへ送る。この後、処理はステップＳ１４へ進む。
【００８０】
ステップＳ１４では、選択部１３４Ａが、参照オクターブバンド情報ＲＯＣＢE,kと、グループオクターブバンド情報ＧＯＣＢj,k＃ｃｌ（ｃｌ＝１，…，ＣＬ）のそれぞれとの類似度を算出する。また、選択部１３４Ａは、参照Ｌ／Ｒ位相差情報ＲＰＨＤE,kと、グループＬ／Ｒ位相差情報ＧＰＨＤj,k＃ｃｌ（ｃｌ＝１，…，ＣＬ）のそれぞれとの類似度を算出する。
【００８１】
引き続き、ステップＳ１５において、選択部１３４Ａが、参照オクターブバンド情報ＲＯＣＢE,kとの類似度が最も小さいグループオクターブバンド情報を選択する。そして、選択部１３４Ａは、選択されたグループオクターブバンド情報に含まれるオクターブバンド情報を平均して、オクターブバンド情報ＯＣＢj,kを生成する。また、選択部１３４Ａは、参照Ｌ／Ｒ位相差情報ＲＰＨＤE,kとの類似度が最も小さいグループＬ／Ｒ位相差情報を選択する。そして、選択部１３４Ａは、選択されたグループＬ／Ｒ位相差情報に含まれるＬ／Ｒ位相差情報を平均して、Ｌ／Ｒ位相差情報ＰＨＤj,kを生成する。
【００８２】
引き続き、ステップＳ１６において、選択部１３４Ａは、当該生成されたオクターブバンド情報ＯＣＢj,k及びＬ／Ｒ位相差情報ＰＨＤj,kを含んだ調整情報ＴＵＩを生成し、調整情報ＴＵＩを記憶部１２０内に格納する。こうして調整情報ＴＵＩが記憶部１２０内に格納されると、調整情報ＴＵＩの生成処理が終了する。
【００８３】
ここで、第１実施形態におけるクラスタ分析を用いたオクターブバンド情報ＯＣＢj,kの生成処理の例について、図８、図９を参照して説明する。
【００８４】
図８には、地域ＡＲE（ヨーロッパ：第２の地域）で作製年ＹＲYに作製された複数の楽曲から求めた参照オクターブバンド情報ＲＯＣＢE,Yの例が示されている。また、図９（Ａ）には、作製年ＹＲYに地域ＡＲL（第１の地域）で作製された複数の楽曲のオクターブバンド情報ＯＣＢL,Y＃ｑ（ｑ＝１，…）を平均したオクターブバンド情報の例が示されている。この図９（Ａ）に示されるオクターブバンド情報ＯＣＢL,Y＃ｑ（ｑ＝１，…）をｋ（＝２）−平均法を用いてクラスタ分析し、当該分析により得られたグループオクターブバンド情報ＧＯＣＢL,Y＃ｃｌ（ｃｌ＝１，２）を平均化した例が、それぞれ、図９（Ｂ），（Ｃ）に示されている。
【００８５】
この場合には、図８に示される参照オクターブバンド情報ＲＯＣＢE,Yと、図９（Ｂ）、（Ｃ）のそれぞれに示されるグループオクターブバンド情報ＧＯＣＢL,Y＃１，＃２とを比較すると、グループオクターブバンド情報ＧＯＣＢL,Y＃２の方が、参照オクターブバンド情報ＲＯＣＢE,Yに類似していないと評価することができる。したがって、この例では、グループオクターブバンド情報ＧＯＣＢL,Y＃２に含まれるオクターブバンド情報を平均したものが、調整情報ＴＵＩに登録されるグループオクターブバンド情報ＯＣＢL,Yとなる。
【００８６】
《音響装置２００による楽曲再生処理》
次に、音響装置２００による楽曲再生処理について、説明する。前提として、情報処理装置１００Ａが、調整情報ＴＵＩを生成し、記憶部１２０内に格納しているものとする。
【００８７】
音響装置２００による楽曲再生処理については、図１０に示されるように、まず、ステップＳ２１において、属性情報取得部２７０が、新たな楽曲の再生に際して、楽曲情報供給部２２０から送られた再生楽曲属性情報を受けたか否かを判定する。この判定の結果が否定的であった場合（ステップＳ２１：Ｎ）には、ステップＳ２１の処理が繰り返される。
【００８８】
ステップＳ２１の繰り返し中に、属性情報取得部２７０が新たな再生楽曲属性情報を取得し、ステップＳ２１における判定の結果が肯定的になると（ステップＳ２１：Ｙ）、処理はステップＳ２２へ進む。ステップＳ２２では、属性情報取得部２７０が、新たに受けた再生楽曲属性情報と、内部に保持している保持用属性情報とが同一であるか否かを判定する。なお、属性情報取得部２７０は、保持用属性情報を内部に保持していないときには、ステップＳ２２において、否定的な判定を行うようになっている。この判定の結果が肯定的であった場合（ステップＳ２２：Ｙ）には、属性情報取得部２７０は、供給指示を楽曲情報供給部２２０へ送る。そして、処理は、後述するステップＳ２６へ進む。
【００８９】
ステップＳ２２における判定の結果が否定的であった場合（ステップＳ２２：Ｎ）には、処理はステップＳ２３へ進む。ステップＳ２３では、楽曲情報供給部２２０が、再生楽曲属性情報を指定属性情報ＰＰＤとして送受信部２８０へ送る。また、楽曲情報供給部２２０は、今回取得した再生楽曲属性情報を保持用属性情報として内部に保持する。そして、送受信部２８０が、当該指定属性情報ＰＰＤを、ネットワークを介して、情報処理装置１００Ａへ送信する。
【００９０】
引き続き、ステップＳ２４において、制御部２３９が、設定更新情報ＳＥＩを受信したか否かを判定する。この判定の結果が否定的であった場合（ステップＳ２４：Ｎ）には、ステップＳ２４の処理が繰り返される。
【００９１】
なお、ステップＳ２３において音響装置２００から送信された指定属性情報ＰＰＤを、情報処理装置１００Ａが受信すると、情報処理装置１００Ａにおいて、後述する「設定更新情報の導出処理」が実行される。そして、設定更新情報ＳＥＩが導出されると、情報処理装置１００Ａは、設定更新情報ＳＥＩ、ネットワークを介して、音響装置２００へ送信する。
【００９２】
設定更新情報ＳＥＩを受信し、ステップＳ２４における判定の結果が肯定的になると（ステップＳ２４：Ｙ）、処理はステップＳ２５へ進む。ステップＳ２５では、制御部２３９が、当該設定更新情報ＳＥＩに含まれる音質調整設定更新情報を音質調整部２３１へ送る。また、制御部２３９は、設定更新情報ＳＥＩに含まれる信号加工設定更新情報を加算部２３３へ送るとともに、設定更新情報ＳＥＩに含まれるスピーカ設定更新情報をスピーカ設定部２３４へ送る。次いで、制御部２３９は、供給指示を楽曲情報供給部２２０へ送る。
【００９３】
引き続き、ステップＳ２６において、楽曲情報供給部２２０が、調整設定部２３０の音質調整部２３１への楽曲信号ＭＵＤの供給を開始する。この後、処理はステップＳ２１へ戻る。
【００９４】
こうして楽曲信号ＭＵＤが音質調整部２３１に供給されると、音質調整部２３１が、更新された音質調整設定値ＥＱに基づき、楽曲信号ＭＵＤに音質調整処理を施して音質調整信号ＡＦＤを生成する。そして、音質調整部２３１は、生成された音質調整信号ＡＦＤを、残響音信号生成部２３２及び加算部２３３へ送る。音質調整信号ＡＦＤを受けた残響音信号生成部２３２は、音質調整信号ＡＦＤの残響音信号ＲＶＤを生成し、加算部２３３へ送る。
【００９５】
次いで、加算部２３３が、信号加工設定更新情報に従って、音質調整信号ＡＦＤに残響音信号ＲＶＤを加算した信号、又は、音質調整信号ＡＦＤそのものを、加工信号ＰＲＤとしてスピーカ設定部２３４へ送る。引き続き、スピーカ設定部２３４が、スピーカ設定更新情報に従って再生音声信号を生成し、音出力部２５０へ送る。この結果、音出力部２５０の選択されたスピーカから、楽曲に対応する地域及び作製年の調整設定に適合した楽曲音が出力される。
【００９６】
以後、新たな楽曲の再生が行われるごとに、上述したステップＳ２１〜Ｓ２６の処理が実行される。
【００９７】
《情報処理装置１００Ａによる設定更新情報の導出処理》
次いで、情報処理装置１００Ａによる設定更新情報の導出処理について、説明する。
【００９８】
情報処理装置１００Ａによる設定更新情報の導出処理については、図１１に示されるように、まず、ステップＳ３１におけて、導出部１３５が、音響装置２００から送信される指定属性情報ＰＰＤを受信したか否かを判定する。この判定の結果が否定的であった場合（ステップＳ３１：Ｎ）には、ステップＳ３１の処理が繰り返される。
【００９９】
ステップＳ３１の繰り返し中に、導出部１３５が新たな指定属性情報ＰＰＤを受信し、ステップＳ３１における判定の結果が肯定的になると（ステップＳ３１：Ｙ）、処理はステップＳ３２へ進む。ステップＳ３２では、導出部１３５が、記憶部１２０にアクセスして、調整情報ＴＵＩから、指定属性情報ＰＰＤに対応する設定用オクターブバンド情報ＯＣＢ及び設定用Ｌ／Ｒ位相差情報ＰＨＤを読み取る。この後、処理はステップＳ３３へ進む。
【０１００】
ステップＳ３３では、導出部１３５が、音質調整設定の更新情報を生成する。かかる音質調整設定の更新情報の生成に際して、導出部１３５は、設定用オクターブバンド情報ＯＣＢにより示される周波数特性を音質調整設定値に特定する。
【０１０１】
引き続き、ステップＳ３４において、導出部１３５が、スピーカ設定の更新情報を生成する。かかるスピーカ設定の更新情報の生成に際して、導出部１３５は、設定用オクターブバンド情報ＯＣＢにより示される周波数特性の所定低音域のレベルが所定レベル値以上のときには、サブウーハスピーカの使用を「ＯＮ」にするスピーカ設定を生成する。一方、導出部１３５は、当該所定低音域のレベルが所定レベル値より小さいときには、サブウーハスピーカの使用を「ＯＦＦ」にするスピーカ設定を生成する。
【０１０２】
次いで、ステップＳ３５において、導出部１３５が、信号加工設定の更新情報を生成する。かかる信号加工設定の更新情報の生成に際して、導出部１３５は、設定用Ｌ／Ｒ位相差情報ＰＨＤから、左音声信号と右音声信号との位相差が所定位相差より小さいときには、リバーブ処理を行う旨の信号加工設定を生成する。一方、導出部１３５は、当該位相差が所定位相差以上のときには、リバーブ処理を行わない旨の信号加工設定を生成する。この後、処理はステップＳ３６へ進む。
【０１０３】
引き続き、ステップＳ３６において、導出部１３５が、音質調整設定値の更新情報、スピーカ設定の更新情報及び信号加工設定の更新情報を、設定更新情報ＳＥＩとして送受信部１１０へ送る。そして、送受信部１１０が、当該設定更新情報ＳＥＩを、ネットワークを介して、音響装置２００へ送信する。この後、処理はステップＳ３１へ戻る。以後、ステップＳ３１〜Ｓ３６の処理が繰り返される。
【０１０４】
以上説明したように、第１実施形態では、音響装置２００に設定される設定更新情報ＳＥＩの導出に用いられる調整情報ＴＵＩの生成に際して、生成部１３３Ａは、地域ＡＲEにおいて作製年ＹＲk（ｋ＝１，…）に作製された複数の楽曲のオクターブバンド情報ＯＣＢE,k＃ｒ（ｒ＝１，…）を平均して、参照オクターブバンド情報ＲＯＣＢE,kを生成する。また、生成部１３３Ａは、地域ＡＲj（ｊ＝１，…）において作製年ＹＲk（ｋ＝１，…）に作製された複数の楽曲のオクターブバンド情報ＯＣＢj,k＃ｑ（ｑ＝１，…）をクラスタ分析して、グループオクターブバンド情報ＧＯＣＢj,k＃ｃｌ（ｃｌ＝１，…，ＣＬ）（ＣＬ：クラスタ数）を生成する。
【０１０５】
次いで、選択部１３４Ａが、参照オクターブバンド情報ＲＯＣＢE,kと、グループオクターブバンド情報ＧＯＣＢj,k＃ｃｌ（ｃｌ＝１，…，ＣＬ）のそれぞれとの類似度を算出する。引き続き、選択部１３４Ａが、参照オクターブバンド情報ＲＯＣＢE,kとの類似度が最も小さいグループオクターブバンド情報を選択する。そして、選択部１３４Ａは、選択されたグループオクターブバンド情報に含まれるオクターブバンド情報を平均して、オクターブバンド情報ＯＣＢj,kを生成する。
【０１０６】
このため、ヨーロッパの楽曲の影響を受けていると考えられる楽曲のオクターブバンド情報ＯＣＢj,k＃ｑ（ｑ＝１，…）を取り除き、地域ＡＲjに特有のオクターブバンド情報ＯＣＢj,kを生成することができる。
【０１０７】
また、第１実施形態では、調整情報ＴＵＩの生成に際して、生成部１３３Ａは、地域ＡＲEにおいて作製年ＹＲk（ｋ＝１，…）に作製された複数の楽曲のＬ／Ｒ位相差情報ＰＨＤE,k＃ｒ（ｒ＝１，…）を平均することにより、参照Ｌ／Ｒ位相差情報ＲＰＨＤE,kを生成する。また、生成部１３３Ａは、地域ＡＲj（ｊ＝１，…）において作製年ＹＲk（ｋ＝１，…）に作製された複数の楽曲のＬ／Ｒ位相差情報ＰＨＤj,k＃ｑ（ｑ＝１，…）をクラスタ分析して、グループＬ／Ｒ位相差情報ＧＰＨＤj,k＃ｃｌ（ｃｌ＝１，…，ＣＬ）（ＣＬ：クラスタ数）を生成する。
【０１０８】
次いで、選択部１３４Ａが、参照Ｌ／Ｒ位相差情報ＲＰＨＤE,kと、グループＬ／Ｒ位相差情報ＧＰＨＤj,k＃ｃｌ（ｃｌ＝１，…，ＣＬ）のそれぞれとの類似度を算出し、参照Ｌ／Ｒ位相差情報ＲＰＨＤE,kとの類似度が最も小さいグループＬ／Ｒ位相差情報を選択する。そして、選択部１３４Ａは、選択されたグループＬ／Ｒ位相差情報に含まれるＬ／Ｒ位相差情報を平均化して、Ｌ／Ｒ位相差情報ＰＨＤj,kを生成する。
【０１０９】
このため、ヨーロッパの楽曲の影響を受けていると考えられる楽曲のＬ／Ｒ位相差情報ＰＨＤj,k＃ｑ（ｑ＝１，…）を取り除き、地域ＡＲjに特有のＬ／Ｒ位相差情報ＰＨＤj,kを生成することができる。
【０１１０】
また、第１実施形態では、楽曲の再生出力に際して、情報処理装置１００Ａが、指定属性情報ＰＰＤを受信すると、導出部１３５が、記憶部１２０の調整情報ＴＵＩから、指定属性情報ＰＰＤに対応する設定用オクターブバンド情報ＯＣＢ及び設定用Ｌ／Ｒ位相差情報ＰＨＤを取得する。引き続き、導出部１３５は、設定用オクターブバンド情報ＯＣＢにより示される周波数特性を音質調整設定値に特定する。
【０１１１】
また、導出部１３５は、設定用オクターブバンド情報ＯＣＢにより示される周波数特性の所定低音域のレベルに基づき、サブウーハスピーカの「ＯＮ／ＯＦＦ」を指定したスピーカ設定を生成する。また、導出部１３５は、設定用Ｌ／Ｒ位相差情報ＰＨＤに基づき、リバーブ処理の実行又は非実行を指定した信号加工設定を生成する。そして、導出部１３５は、音質調整設定値の更新情報、スピーカ設定の更新情報及び信号加工設定の更新情報を、設定更新情報ＳＥＩとして音響装置２００へ送信する。
【０１１２】
このため、第１実施形態では、再生出力される楽曲に対応する地域及び作製年の音質特徴に合わせた音質調整設定を、音響装置２００に対して設定することができる。
【０１１３】
したがって、第１実施形態によれば、様々な国や地域に特有の楽曲の特徴に合った音声調整処理を行うことができる。
【０１１４】
［第２実施形態］
次に、本発明の第２実施形態を、図１２〜図１７を参照して説明する。
【０１１５】
＜構成＞
第２実施形態に係る情報処理装置は、上述した第１実施形態の情報処理装置１００Ａと比べて、処理制御部１３０Ａに代えて、図１２に示される構成の処理制御部１３０Ｂを備える点が異なっている。なお、以下の説明においては、第２実施形態の情報処理装置を「情報処理装置１００Ｂ」と記す。
【０１１６】
図１２に示されるように、処理制御部１３０Ｂは、上述した処理制御部１３０Ａと比べて、生成部１３３Ａに代えて生成部１３３Ｂを備える点、選択部１３４Ａに代えて選択部１３４Ｂを備える点が異なっている。以下、これらの相違点に主に着目して説明する。
【０１１７】
上記の生成部１３３Ｂは、楽曲情報取得部１３２から送られた地域ＡＲEで作製された複数の楽曲のオクターブバンド情報ＯＣＢE,k＃ｒ（ｒ＝１，…）を受ける。次いで、生成部１３３Ｂは、オクターブバンド情報ＯＣＢE,k＃ｒ（ｒ＝１，…）をクラスタ分析して、オクターブバンド情報ＯＣＢE,k＃ｒを複数のグループに分類し、グループごとの参照用グループオクターブバンド情報（参照用グループ特性情報）ＧＯＣＢE,k＃ｃｅ（ｃｅ＝１，…，ＣＥ）（ＣＥ：クラスタ数）を生成する。そして、生成部１３３Ｂは、生成された参照用グループオクターブバンド情報ＧＯＣＢE,k＃ｃｅを、選択部１３４Ｂへ送る。
【０１１８】
また、生成部１３３Ｂは、楽曲情報取得部１３２から送られた地域ＡＲEで作製された複数の楽曲のＬ／Ｒ位相差情報ＰＨＤE,k＃ｒ（ｒ＝１，…）を受ける。次いで、生成部１３３Ｂは、Ｌ／Ｒ位相差情報ＰＨＤE,k＃ｒ（ｒ＝１，…）をクラスタ分析して、Ｌ／Ｒ位相差情報ＰＨＤE,k＃ｒを複数のグループに分類し、グループごとの参照用グループＬ／Ｒ位相差情報（参照用グループ特性情報）ＧＰＨＤE,k＃ｃｅ（ｃｅ＝１，…，ＣＥ）（ＣＥ：クラスタ数）を生成する。そして、生成部１３３Ｂは、生成された参照用グループＬ／Ｒ位相差情報ＧＰＨＤj,k＃ｃｅを、選択部１３４Ｂへ送る。
【０１１９】
また、生成部１３３Ｂは、楽曲情報取得部１３２から送られた複数の楽曲のオクターブバンド情報ＯＣＢj,k＃ｑ（ｑ＝１，…）を受ける。そして、生成部１３３Ｂは、上述した生成部１３３Ａと同様に、グループオクターブバンド情報ＧＯＣＢj,k＃ｃｌ（ｃｌ＝１，…，ＣＬ）を生成して、選択部１３４Ｂへ送る。
【０１２０】
また、生成部１３３Ｂは、楽曲情報取得部１３２から送られた複数の楽曲のＬ／Ｒ位相差情報ＰＨＤj,k＃ｑ（ｑ＝１，…）を受ける。そして、生成部１３３Ｂは、上述した生成部１３３Ａと同様に、グループＬ／Ｒ位相差情報ＧＰＨＤj,k＃ｃｌ（ｃｌ＝１，…，ＣＬ）を生成して、選択部１３４Ｂへ送る。
【０１２１】
上記の選択部１３４Ｂは、生成部１３３Ｂから送られた参照用グループオクターブバンド情報ＧＯＣＢE,k＃ｃｅ（ｃｅ＝１，…，ＣＥ）、及び、グループオクターブバンド情報ＧＯＣＢj,k＃ｃｌ（ｃｌ＝１，…，ＣＬ）を受ける。そして、選択部１３４Ｂは、参照用グループオクターブバンド情報ＧＯＣＢE,k＃ｃｅのそれぞれと、グループオクターブバンド情報ＧＯＣＢj,k＃ｃｌのそれぞれとを比較して、参照用グループオクターブバンド情報ＧＯＣＢE,k＃ｃｅのいずれとも類似していないと評価されたグループオクターブバンド情報を選択する。そして、選択部１３４Ｂは、選択されたグループオクターブバンド情報に含まれるオクターブバンド情報を平均して、オクターブバンド情報ＯＣＢj,kを生成する。
【０１２２】
また、選択部１３４Ｂは、生成部１３３Ｂから送られた参照用グループＬ／Ｒ位相差情報ＧＰＨＤj,k＃ｃｅ（ｃｅ＝１，…，ＣＥ）、及び、グループＬ／Ｒ位相差情報ＧＰＨＤj,k＃ｃｌ（ｃｌ＝１，…，ＣＬ）を受ける。そして、選択部１３４Ｂは、参照用グループＬ／Ｒ位相差情報ＧＰＨＤj,k＃ｃｅのそれぞれと、Ｌ／Ｒ位相差情報ＧＰＨＤj,k＃ｃｌのそれぞれとを比較して、参照用グループＬ／Ｒ位相差情報ＧＰＨＤj,k＃ｃｅのいずれとも類似していないと評価されたグループＬ／Ｒ位相差情報を選択する。そして、選択部１３４Ｂは、選択されたグループＬ／Ｒ位相差情報に含まれるＬ／Ｒ位相差情報を平均して、オクターブバンド情報ＯＣＢj,kを生成する。
【０１２３】
＜動作＞
以上のようにして構成された情報処理装置１００Ｂの動作について、情報処理装置１００Ｂによる調整情報ＴＵＩの生成処理に主に着目して説明する。なお、音響装置２００による楽曲再生処理及び情報処理装置１００Ｂによる音響調整管理処理については、上述した第１実施形態の場合と同様の処理が行われる。
【０１２４】
《情報処理装置１００Ｂによる調整情報ＴＵＩの生成処理》
情報処理装置１００Ｂによる調整情報ＴＵＩの生成処理については、図１３に示されるように、まず、ステップＳ４１において、楽曲情報取得部１３２が、上述した第１実施形態の場合と同様に、記憶部１２０の解析情報ＡＮＩにアクセスして、楽曲解析情報ＭＡＩ＃ｐの楽曲属性情報ＰＰＭ＃ｐ、オクターブバンド情報ＯＣＢ＃ｐ及びＬ／Ｒ位相差情報ＰＨＤ＃ｐを読み取る。
【０１２５】
こうして楽曲解析情報ＭＡＩ＃ｐを取得すると、楽曲情報取得部１３２は、地域ＡＲj（ｊ＝１，…）において作製年ＹＲk（ｋ＝１，…）に作製された複数の楽曲のオクターブバンド情報ＯＣＢj,k＃ｑ（ｑ＝１，…）及びＬ／Ｒ位相差情報ＰＨＤj,k＃ｑ（ｑ＝１，…）を抽出して、生成部１３３Ｂへ送る。また、楽曲情報取得部１３２は、地域ＡＲEにおいて作製年ＹＲk（ｋ＝１，…）に作製された複数の楽曲のオクターブバンド情報ＯＣＢE,k＃ｒ（ｒ＝１，…）及びＬ／Ｒ位相差情報ＰＨＤE,k＃ｒ（ｒ＝１，…）を抽出して、生成部１３３Ｂへ送る。この後、処理はステップＳ４２へ進む。
【０１２６】
ステップＳ４２では、生成部１３３Ｂが、オクターブバンド情報ＯＣＢE,k＃ｒ（ｒ＝１，…）をクラスタ分析して、参照用グループオクターブバンド情報ＧＯＣＢE,k＃ｃｅ（ｃｅ＝１，…，ＣＥ）（ＣＥ：クラスタ数）を生成する。また、生成部１３３Ｂは、Ｌ／Ｒ位相差情報ＰＨＤE,k＃ｒ（ｒ＝１，…）をクラスタ分析して、参照用グループＬ／Ｒ位相差情報ＧＰＨＤE,k＃ｃｅ（ｃｅ＝１，…，ＣＥ）（ＣＥ：クラスタ数）を生成する。そして、生成部１３３Ｂは、生成された参照用グループオクターブバンド情報ＧＯＣＢE,k＃ｃｅ及び参照用グループＬ／Ｒ位相差情報ＧＰＨＤE,k＃ｃｅを、選択部１３４Ｂへ送る。
【０１２７】
引き続き、ステップＳ４３において、生成部１３３Ｂが、上述した第１実施形態の場合と同様に、オクターブバンド情報ＯＣＢj,k＃ｑ（ｑ＝１，…）をクラスタ分析して、グループオクターブバンド情報ＧＯＣＢj,k＃ｃｌ（ｃｌ＝１，…，ＣＬ）（ＣＬ：クラスタ数）を生成する。また、生成部１３３Ｂは、Ｌ／Ｒ位相差情報ＰＨＤj,k＃ｑ（ｑ＝１，…）をクラスタ分析して、グループＬ／Ｒ位相差情報ＧＰＨＤj,k＃ｃｌ（ｃｌ＝１，…，ＣＬ）（ＣＬ：クラスタ数）を生成する。そして、生成部１３３Ｂは、生成されたグループオクターブバンド情報ＧＯＣＢj,k＃ｃｌ及びグループＬ／Ｒ位相差情報ＧＰＨＤj,k＃ｃｌを、選択部１３４Ｂへ送る。この後、処理はステップＳ４４へ進む。なお、第２実施形態では、クラスタ数ＣＬとクラスタ数ＣＥとの関係は、ＣＬ＝ＣＥ＋１となっている。
【０１２８】
ステップＳ４４では、選択部１３４Ｂが、「オクターブバンド情報ＯＣＢj,kの生成処理」を行う。かかるステップＳ４４の処理の詳細については、後述する。そして、ステップＳ４４の処理が終了すると、ステップＳ４５へ進む。
【０１２９】
ステップＳ４５では、選択部１３４Ｂが、「Ｌ／Ｒ位相差情報ＰＨＤj,kの生成処理」を行う。かかるステップＳ４５の処理の詳細については、後述する。そして、ステップＳ４５の処理が終了すると、ステップＳ４６へ進む。
【０１３０】
引き続き、ステップＳ４６において、選択部１３４Ｂは、当該生成されたオクターブバンド情報ＯＣＢj,k及びＬ／Ｒ位相差情報ＰＨＤj,kを含んだ調整情報ＴＵＩを生成し、調整情報ＴＵＩを記憶部１２０内に格納する。こうして調整情報ＴＵＩが記憶部１２０内に格納されると、調整情報ＴＵＩの生成処理が終了する。
【０１３１】
（オクターブバンド情報ＯＣＢj,kの生成処理）
上述したステップＳ４４における「オクターブバンド情報ＯＣＢj,kの生成処理」について、説明する。
【０１３２】
この「オクターブバンド情報ＯＣＢj,kの生成処理」は、図１４に示されるように、まず、ステップＳ５１において、選択部１３４Ｂが、変数Ｎを「１」にセットする。引き続き、ステップＳ５２において、選択部１３４Ｂが、参照用グループオクターブバンド情報ＧＯＣＢE,k＃Ｎと、グループオクターブバンド情報ＧＯＣＢj,k＃ｃｌ（ｃｌ＝１，…，ＣＬ）のそれぞれとの類似度を算出する。
【０１３３】
次に、ステップＳ５３において、選択部１３４Ｂが、参照用グループオクターブバンド情報ＧＯＣＢE,k＃Ｎに最も類似していると評価されるグループオクターブバンド情報を、グループオクターブバンド情報ＧＯＣＢj,k＃ｃｌ（ｃｌ＝１，…，ＣＬ）から除外する。次いで、ステップＳ５４において、「Ｎ」にインクリメントするとともに、「ＣＬ」をデクリメントする。この後、処理はステップＳ５５へ進む。
【０１３４】
ステップＳ５５では、選択部１３４Ｂが、「Ｎ」が参照用グループオクターブバンド情報ＧＯＣＢE,k＃ｃｅのクラスタ数ＣＥより大きいか否かを判定する。この判定の結果が否定的であった場合（ステップＳ５５：Ｎ）には、処理はステップＳ５２へ戻る。一方、ステップＳ５５における判定の結果が肯定的であった場合（ステップＳ５５：Ｙ）には、処理はステップＳ５６へ進む。
【０１３５】
ステップＳ５６では、選択部１３４Ｂが、グループオクターブバンド情報ＧＯＣＢj,k＃ｃｌ（ｃｌ＝１，…，ＣＬ）から除外されずに残ったグループオクターブバンド情報を平均して、オクターブバンド情報ＯＣＢj,kを生成する。こうしてオクターブバンド情報ＯＣＢj,kが生成されると、ステップＳ４４の処理が終了する。そして、処理は上述した図１３のステップＳ４５へ進む。
【０１３６】
（Ｌ／Ｒ位相差情報ＰＨＤj,kの生成処理）
上述したステップＳ４５における「Ｌ／Ｒ位相差情報ＰＨＤj,kの生成処理」について、説明する。
【０１３７】
この「Ｌ／Ｒ位相差情報ＰＨＤj,kの生成処理」は、図１５に示されるように、まず、ステップＳ６１において、選択部１３４Ｂが、Ｎを「１」にセットする。引き続き、ステップＳ６２において、選択部１３４Ｂが、参照用グループＬ／Ｒ位相差情報ＧＰＨＤE,k＃Ｎと、グループＬ／Ｒ位相差情報ＧＰＨＤj,k＃ｃｌ（ｃｌ＝１，…，ＣＬ）のそれぞれとの類似度を算出する。
【０１３８】
次に、ステップＳ６３において、選択部１３４Ｂが、参照用グループＬ／Ｒ位相差情報ＧＰＨＤE,k＃Ｎに最も類似していると評価されるグループＬ／Ｒ位相差情報を、グループＬ／Ｒ位相差情報ＧＰＨＤj,k＃ｃｌ（ｃｌ＝１，…，ＣＬ）から除外する。次いで、ステップＳ６４において、「Ｎ」にインクリメントし、「ＣＬ」をデクリメントする。この後、処理はステップＳ６５へ進む。
【０１３９】
ステップＳ６５では、選択部１３４Ｂが、「Ｎ」が参照用グループＬ／Ｒ位相差情報（参照用グループ特性情報）ＧＰＨＤE,k＃ｃｅのクラスタ数ＣＥより大きいか否かを判定する。この判定の結果が否定的であった場合（ステップＳ６５：Ｎ）には、処理はステップＳ６２へ戻る。一方、ステップＳ６５における判定の結果が肯定的であった場合（ステップＳ６５：Ｙ）には、処理はステップＳ６６へ進む。
【０１４０】
ステップＳ６６では、グループＬ／Ｒ位相差情報ＧＰＨＤj,k＃ｃｌ（ｃｌ＝１，…，ＣＬ）から除外されずに残ったグループＬ／Ｒ位相差情報を平均して、Ｌ／Ｒ位相差情報ＰＨＤj,kを生成する。こうしてＬ／Ｒ位相差情報ＰＨＤj,kが生成されると、ステップＳ４５の処理が終了する。そして、処理は上述した図１３のステップＳ４６へ進む。
【０１４１】
ここで、第２実施形態におけるクラスタ分析を用いたオクターブバンド情報ＯＣＢj,kの生成処理の例について、図１６、図１７を参照して説明する。
【０１４２】
図１６（Ａ）には、地域ＡＲE（ヨーロッパ：第２の地域）で作製年ＹＲYに作製された複数の楽曲のオクターブバンド情報ＯＣＢE,Y＃ｒ（ｒ＝１，…）を平均したオクターブバンド情報の例が示されている。この図１６（Ａ）に示されるオクターブバンド情報ＯＣＢE,Y＃ｒ（ｒ＝１，…）をｋ（＝２）−平均法を用いてクラスタ分析し、当該分析により得られた参照用グループオクターブバンド情報ＧＯＣＢE,Y＃ｃｅ（ｃｅ＝１，２）を平均した例が、それぞれ、図１６（Ｂ），（Ｃ）に示されている。
【０１４３】
また、図１７（Ａ）には、作製年ＹＲYに地域ＡＲL（第１の地域）で作製された複数の楽曲のオクターブバンド情報ＯＣＢL,Y＃ｑ（ｑ＝１，…）を平均したオクターブバンド情報の例が示されている。この図１７（Ａ）に示されるオクターブバンド情報ＯＣＢL,Y＃ｑ（ｑ＝１，…）をｋ（＝３）−平均法を用いてクラスタ分析し、当該分析により得られたグループオクターブバンド情報ＧＯＣＢL,Y＃ｃｌ（ｃｌ＝１，２，３）を平均化した例が、それぞれ、図１７（Ｂ），（Ｃ），（Ｄ）に示されている。
【０１４４】
この場合には、図１６（Ｂ），（Ｃ）に示される参照用グループオクターブバンド情報ＧＯＣＢE,Y＃１，＃２と、図１７（Ｂ）、（Ｃ），（Ｄ）のそれぞれに示されるグループオクターブバンド情報ＧＯＣＢL,Y＃１，＃２，＃３とを比較すると、参照用グループオクターブバンド情報ＧＯＣＢE,Y＃１とグループオクターブバンド情報ＧＯＣＢL,Y＃１とが類似し、参照用グループオクターブバンド情報ＧＯＣＢE,Y＃２とグループオクターブバンド情報ＧＯＣＢL,Y＃２とが類似していると評価することができる。したがって、この例では、グループオクターブバンド情報ＧＯＣＢL,Y＃３に含まれるオクターブバンド情報を平均したものが、調整情報ＴＵＩに登録されるグループオクターブバンド情報ＯＣＢL,Yとなる。
【０１４５】
以上説明したように、第２実施形態では、音響装置２００に設定される設定更新情報ＳＥＩの導出に用いられる調整情報ＴＵＩの生成に際して、生成部１３３Ｂは、地域ＡＲEにおいて作製年ＹＲk（ｋ＝１，…）に作製された複数の楽曲のオクターブバンド情報ＯＣＢE,k＃ｒ（ｒ＝１，…）をクラスタ分析して、参照用グループオクターブバンド情報ＧＯＣＢE,k＃ｃｅ（ｃｅ＝１，…，ＣＥ）を生成する。また、生成部１３３Ｂは、地域ＡＲj（ｊ＝１，…）において作製年ＹＲk（ｋ＝１，…）に作製された複数の楽曲のオクターブバンド情報ＯＣＢj,k＃ｑ（ｑ＝１，…）をクラスタ分析して、グループオクターブバンド情報ＧＯＣＢj,k＃ｃｌ（ｃｌ＝１，…，ＣＬ）（ＣＬ：クラスタ数）を生成する。
【０１４６】
次いで、選択部１３４Ｂが、参照用グループオクターブバンド情報ＧＯＣＢE,k＃ｃｅ（ｃｅ＝１，…，ＣＥ）のそれぞれと、グループオクターブバンド情報ＧＯＣＢj,k＃ｃｌ（ｃｌ＝１，…，ＣＬ）のそれぞれとの類似度を算出する。引き続き、選択部１３４Ｂが、グループオクターブバンド情報ＧＯＣＢj,k＃ｃｌのうちから、参照用グループオクターブバンド情報ＧＯＣＢE,k＃ｃｅに類似していないと評価されるグループオクターブバンド情報を選択する。そして、選択部１３４Ｂは、選択されたグループオクターブバンド情報に含まれるオクターブバンド情報を平均して、オクターブバンド情報ＯＣＢj,kを生成する。
【０１４７】
このため、ヨーロッパの楽曲の影響を受けていると考えられる楽曲のオクターブバンド情報ＯＣＢj,k＃ｑ（ｑ＝１，…）を取り除き、地域ＡＲjに特有のオクターブバンド情報ＯＣＢj,kを生成することができる。
【０１４８】
また、第２実施形態では、調整情報ＴＵＩの生成に際して、生成部１３３Ｂは、地域ＡＲEにおいて作製年ＹＲk（ｋ＝１，…）に作製された複数の楽曲のＬ／Ｒ位相差情報ＰＨＤE,k＃ｒ（ｒ＝１，…）をクラスタ分析して、参照用グループＬ／Ｒ位相差情報ＧＰＨＤE,k＃ｃｅ（ｃｅ＝１，…，ＣＥ）を生成する。また、生成部１３３Ｂは、地域ＡＲj（ｊ＝１，…）において作製年ＹＲk（ｋ＝１，…）に作製された複数の楽曲のＬ／Ｒ位相差情報ＰＨＤj,k＃ｑ（ｑ＝１，…）をクラスタ分析して、グループＬ／Ｒ位相差情報ＧＰＨＤj,k＃ｃｌ（ｃｌ＝１，…，ＣＬ）（ＣＬ：クラスタ数）を生成する。
【０１４９】
次いで、選択部１３４Ｂが、参照用グループＬ／Ｒ位相差情報ＧＰＨＤE,k＃ｃｅ（ｃｅ＝１，…，ＣＥ）のそれぞれと、グループＬ／Ｒ位相差情報ＧＰＨＤj,k＃ｃｌ（ｃｌ＝１，…，ＣＬ）のそれぞれとの類似度を算出し、参照用グループＬ／Ｒ位相差情報ＧＰＨＤE,k＃ｃｅに類似していないと評価されるグループＬ／Ｒ位相差情報を選択する。そして、選択部１３４Ｂは、選択されたグループＬ／Ｒ位相差情報に含まれるＬ／Ｒ位相差情報を平均して、Ｌ／Ｒ位相差情報ＰＨＤj,kを生成する。
【０１５０】
このため、ヨーロッパの楽曲の影響を受けていると考えられる楽曲のＬ／Ｒ位相差情報ＰＨＤj,k＃ｑ（ｑ＝１，…）を取り除き、地域ＡＲjに特有のＬ／Ｒ位相差情報ＰＨＤj,kを生成することができる。
【０１５１】
また、第２実施形態では、上述した第１実施形態と同様に、再生出力される楽曲に対応する地域及び作製年の音質特徴に合わせた音質調整設定を、音響装置２００に対して設定することができる。
【０１５２】
したがって、第２実施形態によれば、上述した第１実施形態と同様に、様々な国や地域に特有の楽曲の特徴に合った音声調整処理を行うことができる。
【０１５３】
［実施形態の変形］
本発明は、上記の実施形態に限定されるものではなく、様々な変形が可能である。
【０１５４】
例えば、上記の第１及び第２実施形態では、楽曲属性情報には、楽曲コンテンツに対応する地域に関する情報、及び、楽曲コンテンツの作製年情報が含まれることとした。これに対して、楽曲属性情報に、楽曲コンテンツに対応する楽曲のジャンル情報を含めるようにしてもよい。
【０１５５】
この場合には、調整情報を、地域ごと及び当該地域に対応付けられた楽曲の作製年及び楽曲のジャンルごとの情報とすることができる。
【０１５６】
また、楽曲属性情報に、楽曲コンテンツに対応する楽曲のインターネットを介したダウンロード回数等の楽曲の聴取回数に関する情報を含めるようにしてもよい。この場合には、聴取回数が低い楽曲については、調整情報の生成に利用しないようにすることで、より地域に特有のオクターブバンド情報、Ｌ／Ｒ位相差情報を生成することができる。
【０１５７】
また、第１及び第２実施形態では、調整情報を生成するに際して、クラスタ分析されたグループを構成するオクターブバンド情報のサンプル数、Ｌ／Ｒ位相差情報の要素数を考慮しないことにした。これに対して、グループを構成するオクターブバンド情報の要素数、Ｌ／Ｒ位相差情報の要素数に基づいてグループ情報の信頼性を評価し、当該信頼性が低いと評価されたグループについては、調整情報を生成に際して使用しないようにすることができる。
【０１５８】
また、上記の第１及び第２実施形態では、調整情報を生成するに際して、選択部は、１つのグループオクターブバンド情報及び１つのグループＬ／Ｒ位相差情報を選択した。これに対して、調整情報を生成するに際して、選択部が、複数のグループオクターブバンド情報及び複数のグループＬ／Ｒ位相差情報を選択するようにしてもよい。
【０１５９】
そして、この場合には、再生対象の楽曲のジャンル等に基づいて、ジャンルが一致するグループオクターブバンド情報及びグループＬ／Ｒ位相差情報と調整情報に決定するようにしてもよい。また、ユーザが、複数のグループオクターブバンド情報及び複数のグループＬ／Ｒ位相差情報のうちから、ユーザの嗜好に合う楽曲特性情報を選べるようにしてもよい。
【０１６０】
また、上記の第１及び第２実施形態では、複数のオクターブバンド情報又は複数のＬ／Ｒ位相差情報をクラスタ分析する際にｋ−平均法を用いたが、他の手法を用いてクラスタ分析を行うようにしてもよい。
【０１６１】
また、上記の第１及び第２実施形態では、周波数帯ごとに、参照オクターブバンド情報におけるレベルと、グループオクターブバンド情報におけるレベルとの差の絶対値を算出し、当該絶対値の総和を算出して、類似度を算出した。これに対して、周波数帯ごとの参照オクターブバンド情報におけるレベルとグループオクターブバンド情報におけるレベルについての二乗平均平方根を計算して、類似度を算出するようにしてもよい。
【０１６２】
また、上記の第１及び第２実施形態では、周波数帯ごとに、参照Ｌ／Ｒ位相差情報における位相差と、グループＬ／Ｒ位相差情報における位相差との差の絶対値を算出し、当該絶対値の総和を算出して、類似度を算出した。これに対して、周波数帯ごとの参照Ｌ／Ｒ位相差情報における位相差とグループオクターブバンド情報における位相差についての二乗平均平方根を計算して、類似度を算出するようにしてもよい。
【０１６３】
また、上記の第１及び第２実施形態では、第２の地域をヨーロッパとした。これに対して、第２の地域をアメリカ等の他の国や地域としてもよいことは勿論である。
【０１６４】
また、上記の第１及び第２実施形態では、情報処理装置に記憶される調整情報は、地域ごと及び当該地域に対応付けられた楽曲の作製年ごとの情報とした。これに対して、調整情報を、地域ごと及び当該地域に対応付けられた楽曲の作製年及び楽曲のジャンルごとの情報としてもよい。
【０１６５】
この場合には、指定属性情報には、再生する楽曲に対応する地域に関する情報に対応付けられた楽曲の作製年情報及び楽曲のジャンル情報が含まれるようにすることができる。
【０１６６】
また、記憶部の調整情報を、地域ごと及び当該地域に対応付けられた楽曲のジャンルごとの情報としてもよい。この場合には、指定属性情報には、楽曲に対応する地域に関する情報に対応付けられた楽曲のジャンル情報が含まれるようにすることができる。
【０１６７】
また、記憶部の調整情報を、地域ごとに対応付けられた情報としてもよい。この場合には、指定属性情報は楽曲に対応する地域に関する情報から成るようにすることができる。
【０１６８】
また、上記の第１及び第２実施形態では、音響装置の設定更新を行うに際して、「音質調整設定の更新」、「信号加工設定の更新」及び「スピーカ設定の更新」を行うようにした。これに対して、これら３つのうちの任意の１つ設定更新又は任意の組み合せの２つの設定更新を行うようにしてもよい。
【０１６９】
また、上記の第１及び第２実施形態では、楽曲特性情報として、オクターブバンド情報及びＬ／Ｒ位相差情報を採用した。これに対して、楽曲特性情報をオクターブバンド情報としてもよいし、又、楽曲特性情報をＬ／Ｒ位相差情報としてもよい。また、楽器の再生音の出現頻度や声質（歌唱法）の出現頻度を解析して、当該解析結果等を楽曲特性情報に含めるようにしてもよい。
【０１７０】
また、上記の第１及び第２実施形態では、スピーカ設定の更新情報の内容を、サブウーハスピーカの使用の「ＯＮ」又は「ＯＦＦ」とした。これに対して、設定用オクターブバンド情報により示される周波数特性から、高音域の音を強調するか否かを判定し、当該判定の結果に基づいて、ツイータスピーカの使用の「ＯＮ」又は「ＯＦＦ」を設定するようにしてもよい。
【０１７１】
さらに、設定用オクターブバンド情報により示される周波数特性から、低音域及び高音域の音を強調するか否かを判定し、当該判定の結果に基づいて、サブウーハスピーカの使用の「ＯＮ」又は「ＯＦＦ」、及び、ツイータスピーカの使用の「ＯＮ」又は「ＯＦＦ」の組み合せを決定し、当該決定結果をスピーカ設定の更新情報の内容とするようにしてもよい。
【０１７２】
また、設定用オクターブバンド情報により示される周波数特性の全帯域のバランスから、スピーカシステムにおけるネットワークのクロスオーバー周波数を決定し、当該決定結果を音響装置の設定に反映させるようにしてもよい。
【０１７３】
また、第１及び第２実施形態では、記憶部が情報処理装置に備えられ、情報処理装置が調整情報を生成して記憶部に格納するようにした。これに対して、音響装置が、記憶部を備え、音響装置が調整情報を生成して、当該調整情報を記憶部に格納するようにしてもよい。
【０１７４】
また、上記の第１及び第２実施形態では、指定属性情報の内容を、再生する楽曲に関する情報とした。これに対して、指定属性情報の内容を、ユーザの国籍や居住する国や地域等の属性としてもよい。この場合には、当該ユーザの国籍や居住する国や地域等の属性に合った音声調整処理を行うことができる。
【０１７５】
また、上記の第１及び第２実施形態においては、車両に配置される音響装置に本発明を適用したが、車両以外の他の移動体に配置される音響装置にも本発明を適用することもできる。また、家庭内に配置される音響装置にも本発明を適用することができる。
【０１７６】
上記の情報処理装置の一部又は全部を中央処理装置（ＣＰＵ：Central Processing Unit）等を備えた演算手段としてのコンピュータとして構成し、予め用意されたプログラムを当該コンピュータで実行することにより、上記の実施形態における情報処理装置の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図１】
2017130350.tif 000003
【図２】
2017130350.tif 000004
【図３】
2017130350.tif 000005
【図４】
2017130350.tif 000006
【図５】
2017130350.tif 000007
【図６】
2017130350.tif 000008
【図７】
2017130350.tif 000009
【図８】
2017130350.tif 000010
【図９】
2017130350.tif 000011
【図１０】
2017130350.tif 000012
【図１１】
2017130350.tif 000013
【図１２】
2017130350.tif 000014
【図１３】
2017130350.tif 000015
【図１４】
2017130350.tif 000016
【図１５】
2017130350.tif 000017
【図１６】
2017130350.tif 000018
【図１７】
2017130350.tif 000019
【国際調査報告】
2017130350.tif 000020
2017130350.tif 000021